(57)【要約】【課題】出力光のパワー低下を効率良く抑えて、光利用効率が高く、出力光の偏光方向が揃っており、かつ、出力が安定したレーザ光源装置、およびそのレーザ光源装置を備えた画像表示装置を提供すること。【解決手段】レーザ光源装置３１は、光源３１１、波長変換素子３１２、外部共振器３１３を備えている。波長変換素子３１２は、光源３１１と外部共振器３１３とによって構成された共振構造（第一光路Ｏ１）内に設けられており、外部共振器３１３によって反射されて光源３１１へ向かう過程で波長が変換された第二の波長のレーザ光が、第一光路Ｏ１とは異なる第二光路Ｏ２に向かわせるように傾斜する面３１２Ａａ、および第一のレーザ光ＬＳ１の進行方向とほぼ同じ方向へ向けるように傾斜する面３１２Ａｃとによって第二光路Ｏ２に取り出され、第一のレーザ光ＬＳ１と共に出力光として利用される。【選択図】図１
2008103525.tif 000002
【特許請求の範囲】
【請求項１】
第一の波長のレーザ光を射出する光源と、
前記第一の波長のレーザ光を選択的に反射して前記光源の方に向かわせる外部共振器と
、
前記光源と前記外部共振器との間に形成された第一光路上に設けられ、前記外部共振器
より入射した第一の波長のレーザ光のうちの一部のレーザ光の波長を前記第一の波長とは
異なる第二の波長に変換する波長変換素子と、
を備えたレーザ光源装置であって、
前記波長変換素子は、
前記第一光路上の前記光源から入射する前記第一の波長のレーザ光の入射面が、前記外
部共振器によって反射されて前記光源の方へ向かう過程で前記第二の波長に変換されたレ
ーザ光を、前記第一光路とは異なる第二光路に向かわせるように傾斜する第一の傾斜面よ
りなり、
前記入射面は、前記第二の波長のレーザ光を選択的に反射する選択反射膜を有し、
さらに前記第二光路上に、前記選択反射膜にて反射された前記第二の波長の第二のレー
ザ光を、前記第一のレーザ光の進行方向とほぼ同じ方向へ向けるように傾斜する第二の傾
斜面を備え、
前記外部共振器から前記第二の波長の第一のレーザ光と、前記第二の波長の第二のレー
ザ光と、を出力光として射出することを特徴とするレーザ光源装置。
【請求項２】
請求項１に記載のレーザ光源装置において、
前記第二の傾斜面は、
前記波長変換素子の前記光源側の面または前記外部共振器側の面のいずれか一方の面に
形成されていることを特徴とするレーザ光源装置。
【請求項３】
請求項２に記載のレーザ光源装置において、
前記光源から射出されたレーザ光は、前記第一光路上の前記波長変換素子の第一の傾斜
面から入射して、前記外部共振器に向けて射出され、
前記外部共振器によって反射されて前記光源の方へ向かうレーザ光は、前記波長変換素
子に入射し、
前記外部共振器によって反射されて前記光源の方へ向かうレーザ光のうち、前記選択反
射膜を透過したレーザ光は、前記第一の傾斜面より前記光源に向けて射出され、
前記外部共振器によって反射されて前記光源の方へ向かうレーザ光のうち、前記選択反
射膜によって反射されたレーザ光は、前記波長変換素子の前記外部共振器側の面に形成さ
れた第二の傾斜面によって屈折されて、前記外部共振器に向かって射出されることを特徴
とするレーザ光源装置。
【請求項４】
請求項２に記載のレーザ光源装置において、
前記光源から射出されたレーザ光は、前記第一光路上の第一の傾斜面から前記波長変換
素子に入射して、前記外部共振器に向けて射出され、
前記外部共振器によって反射されて前記光源の方へ向かうレーザ光は、前記波長変換素
子に入射し、
前記外部共振器によって反射されて前記光源の方へ向かうレーザ光のうち、前記選択反
射膜を透過したレーザ光は、前記第一の傾斜面より前記光源に向けて射出され、
前記外部共振器によって反射されて前記光源の方へ向かうレーザ光のうち、前記選択反
射膜によって反射されたレーザ光は、前記波長変換素子の前記光源側の面に形成された第
二の傾斜面によって反射されて、前記外部共振器に向かって射出されることを特徴とする
レーザ光源装置。
【請求項５】
請求項１乃至４の何れか一項に記載のレーザ光源装置において、
前記光源は、アレイ化された複数の発光部を備えることを特徴とするレーザ光源装置。
【請求項６】
請求項１乃至５の何れか一項に記載のレーザ光源装置において、
前記波長変換素子は、擬似位相制御型の波長変換素子であることを特徴とするレーザ光
源装置。
【請求項７】
請求項１乃至６の何れか一項に記載のレーザ光源装置と、
前記レーザ光源装置から射出されたレーザ光を画像情報に応じて変調する光変調素子と
、
を備える画像表示装置。
【発明の詳細な説明】
【技術分野】
【０００１】
本発明は、レーザ光を射出するレーザ光源装置、及びこのレーザ光源装置を備えた画像
表示装置に関する。
【背景技術】
【０００２】
近年、光通信、光応用測定、光表示などのオプトエレクトロニクス分野において、レー
ザ光源装置が広く使用されている。
こうしたレーザ光源装置としては、基本波レーザの波長をそのまま利用するものと、基
本波レーザの波長を変換して利用するものとがある。後者のレーザ光源装置において、基
本波レーザの波長の変換を行う素子として、第二次高調波発生（ＳＨＧ：Second Harmoni
c Generation）素子が知られている。
【０００３】
ここで、ＳＨＧの変換効率は一般的に３０〜４０％程度であるため、ＳＨＧ素子によっ
て変換された光のパワーは、基本波レーザ光源の出力光のパワーに比べてかなり小さくな
ってしまう。そこで、出力光のパワー低下を抑える構成として、特許文献１のようなレー
ザ光源装置が提案されている。このレーザ光源装置では、内部共振タイプのレーザ光源か
ら射出され、ＳＨＧ素子を通過した光を、波長が変換された第一のＳＨＧ光と、残余基本
波光とに分離する。そして、残余基本波光を、再度ＳＨＧ素子に通すことによって、波長
が変換された第二のＳＨＧ光を取り出す。第二のＳＨＧ光は、第一のＳＨＧ光と偏光方向
が９０°異なる偏光に変換された状態で、第一のＳＨＧ光と合成される。特許文献１のレ
ーザ光源装置では、このようにして、第一のＳＨＧ光と第二のＳＨＧ光の合成光を出力光
として利用することにより、出力光のパワー低下を抑えている。
【０００４】
【特許文献１】特開昭５９−１２８５２５号公報
【発明の開示】
【発明が解決しようとする課題】
【０００５】
特許文献１に記載のレーザ光源装置では、残余基本波光を、再度ＳＨＧ素子に通すこと
によって波長が変換された第二のＳＨＧ光を利用することはできるものの、再度ＳＨＧ素
子を通過しても波長が変換されなかった残余基本波光を利用することができない。よって
、光の利用効率が劇的に向上することは無い。また、このような残余基本波光を、そのま
ま基本波レーザ光源へ戻すと、基本波レーザ光源のパワーが低下したり、不安定になって
しまったりする恐れがあるため、残余基本波光を光源へ戻さないようにする構成が必須と
なる。よって、光学系が大型化してしまう可能性がある。また、光路の長さが大きくなっ
たり、光学要素を通過する回数が増えてしまったりするため、光の損失が発生してしまう
可能性もある。
【０００６】
さらに、特許文献１に記載のレーザ光源装置では、第一のＳＨＧ光と第二のＳＨＧ光と
を合成するために、偏光方向を互いに９０°異なる状態にしているため、出力光が２種類
の偏光の合成光となってしまう。よって、特許文献１に記載のレーザ光源装置を、１種類
の偏光しか利用できない偏光制御型のデバイス（例えば液晶デバイス）と組み合わせて使
用することを考えた場合、第一のＳＨＧ光と第二のＳＨＧ光の偏光方向を揃えるための構
成を設けなければ、一方のＳＨＧ光しか利用することができなくなってしまう。
【０００７】
つまり、特許文献１に記載のレーザ光源装置では、出力光のパワー低下をある程度抑え
つつ、安定した出力を得ることは可能であるが、光の利用効率はそれ程上がらない。特に
、偏光制御型のデバイスと組み合わせて使用する場合は、光の利用効率がまったく上がら
ない可能性もある。
【０００８】
そこで、本発明は、このような事情に鑑みてなされたものであり、出力光のパワー低下
を効率よく抑えて、光利用効率が高く、出力が安定したレーザ光源装置を提供することを
目的とする。また、かかるレーザ光源装置の利用により、光の利用効率が向上した画像表
示装置を提供することを目的とする。
【課題を解決するための手段】
【０００９】
本発明に係るレーザ光源装置は、第一の波長のレーザ光を射出する光源と、前記第一の
波長のレーザ光を選択的に反射して前記光源の方に向かわせる外部共振器と、前記光源と
前記外部共振器との間に形成された第一光路上に設けられ、前記外部共振器より入射した
第一の波長のレーザ光のうちの一部のレーザ光の波長を前記第一の波長とは異なる第二の
波長に変換する波長変換素子と、を備えたレーザ光源装置であって、前記波長変換素子は
、前記第一光路上の前記光源から入射する前記第一の波長のレーザ光の入射面が、前記外
部共振器によって反射されて前記光源の方へ向かう過程で前記第二の波長に変換されたレ
ーザ光を、前記第一光路とは異なる第二光路に向かわせるように傾斜する第一の傾斜面よ
りなり、前記入射面は、前記第二の波長のレーザ光を選択的に反射する選択反射膜を有し
、さらに前記第二光路上に、前記選択反射膜にて反射された前記第二の波長の第二のレー
ザ光を、前記第一のレーザ光の進行方向とほぼ同じ方向へ向けるように傾斜する第二の傾
斜面を備え、前記外部共振器から前記第二の波長の第一のレーザ光と、前記第二の波長の
第二のレーザ光と、を出力光として射出することを特徴とする。
【００１０】
本発明によれば、光源と外部共振器とによって構成された共振構造（第一光路）中に波
長変換素子を設け、外部共振器によって反射されて光源へ向かう過程で波長が変換された
第二のレーザ光を、第一光路とは異なる第二光路に向かわせるように傾斜する第一の傾斜
面、および第一のレーザ光の進行方向とほぼ同じ方向へ向けるように傾斜する第二の傾斜
面によって第二光路に取り出すことにより、波長が変換された第二のレーザ光を無駄なく
利用し、出力光のパワー低下を防ぐことが可能である。
また、第一の傾斜面および第二の傾斜面が、波長変換素子に設けられていることにより
、構成部品点数が低減し、低コスト化および小型化したレーザ光源装置が得られるととも
に、光路の長さが長くなったり、光学要素を通過する回数が増えてしまったり、相互干渉
を低減することにより、レーザ光の損失を低減することも可能である。
【００１１】
さらに、本発明では、第二のレーザ光を、第一のレーザ光の進行方向とほぼ同じ方向へ
向けるだけで良いため、偏光方向がほぼ揃った出力光を得ることができる。よって、偏光
制御型のデバイスと組み合わせて使用する場合であっても、光の利用効率を向上させるこ
とが可能である。さらにまた、出力光のパワーは、選択反射膜（第一の傾斜面）と第二の
傾斜面の位置の変動によって影響され易いが、本発明ではこれらが波長変換素子に予め形
成されていることにより、選択反射膜と第二の傾斜面との位置合わせが不要であり、かつ
、選択反射膜と第二の傾斜面との位置がずれることもないので、安定した出力を得ること
も可能である。
すなわち、本発明によれば、出力光のパワー低下を効率よく抑えて、光利用効率が高く
、出力が安定したレーザ光源装置を得ることが可能となる。
【００１２】
本発明に係るレーザ光源装置において、前記第二の傾斜面は、前記波長変換素子の前記
光源側の面または前記外部共振器側の面のいずれか一方の面に形成されていることが好ま
しい。
かかる構成によれば、第二の傾斜面は、波長変換素子の光源側の面または外部共振器側
の面のいずれか一方の面に形成されていることにより、選択反射膜（第一の傾斜面）にお
いて反射された第二の波長のレーザ光を、第一のレーザ光の進行方向とほぼ同じ方向に向
けて、容易に取り出すことができる。よって、波長が変換された第二のレーザ光の相互干
渉を防ぎつつ、無駄なく利用し、出力光のパワー低下を防ぐことができる。
【００１３】
本発明に係るレーザ光源装置において、前記光源から射出されたレーザ光は、前記第一
光路上の前記波長変換素子の第一の傾斜面から入射して、前記外部共振器に向けて射出さ
れ、前記外部共振器によって反射されて前記光源の方へ向かうレーザ光は、前記波長変換
素子に入射し、前記外部共振器によって反射されて前記光源の方へ向かうレーザ光のうち
、前記選択反射膜を透過したレーザ光は、前記第一の傾斜面より前記光源に向けて射出さ
れ、前記外部共振器によって反射されて前記光源の方へ向かうレーザ光のうち、前記選択
反射膜によって反射されたレーザ光は、前記波長変換素子の前記外部共振器側の面に形成
された第二の傾斜面によって屈折されて、前記外部共振器に向かって射出されることが好
ましい。
【００１４】
かかる構成によれば、外部共振器によって反射されて光源へ向かう過程で波長が変換さ
れた第二のレーザ光は、波長変換素子に入射し、第一光路とは異なる第二光路に向かわせ
るように傾斜する第一の傾斜面に設けられた選択反射膜によって反射され、さらに外部共
振器側の面に形成された第二の傾斜面によって屈折されて、第一のレーザ光の進行方向と
ほぼ同じ方向に射出される。よって、波長が変換された第二のレーザ光の相互干渉を防ぐ
とともに、無駄なく利用し、出力光のパワー低下を防ぐことができる。
【００１５】
本発明に係るレーザ光源装置において、前記光源から射出されたレーザ光は、前記第一
光路上の第一の傾斜面から前記波長変換素子に入射して、前記外部共振器に向けて射出さ
れ、前記外部共振器によって反射されて前記光源の方へ向かうレーザ光は、前記波長変換
素子に入射し、前記外部共振器によって反射されて前記光源の方へ向かうレーザ光のうち
、前記選択反射膜を透過したレーザ光は、前記第一の傾斜面より前記光源に向けて射出さ
れ、前記外部共振器によって反射されて前記光源の方へ向かうレーザ光のうち、前記選択
反射膜によって反射されたレーザ光は、前記波長変換素子の前記光源側の面に形成された
第二の傾斜面によって反射されて、前記外部共振器に向かって射出されることが好ましい
。
【００１６】
かかる構成によれば、外部共振器によって反射されて光源へ向かう過程で波長が変換さ
れた第二のレーザ光は、波長変換素子に入射し、第一光路とは異なる第二光路に向かわせ
るように傾斜する第一の傾斜面に設けられた選択反射膜によって反射され、さらに光源側
の面に形成された第二の傾斜面によって反射されて、第一のレーザ光の進行方向とほぼ同
じ方向に射出される。よって、波長が変換された第二のレーザ光の相互干渉を防ぐととも
に、無駄なく利用し、出力光のパワー低下を防ぐことができる。
【００１７】
本発明に係るレーザ光源装置において、前記光源は、アレイ化された複数の発光部を備
えることが好ましい。
本発明では、このようにアレイ化された光源を用いたとしても、選択反射膜、反射面、
波長変換素子や外部共振器の光入射出端面の面積を、アレイに対応した面積に拡張すれば
良いだけである。このように、本発明では、光源がアレイ化されたとしても、装置の過度
な大型化を招くことが無く、簡単な構成で対応することが可能である。よって、本発明で
は、光源がアレイ化されたとしても、出力光のパワー低下を効率よく抑えて、光利用効率
が高く、出力光の偏光方向が揃っており、かつ、出力が安定したレーザ光源装置を得るこ
とが可能となる効果をそのまま保持しつつ、アレイ化による光量の増加を、効果的に出力
光のパワーアップに繋げることが可能である。
【００１８】
また、本発明に係るレーザ光源装置において、前記波長変換素子は、擬似位相制御型の
波長変換素子であることが好ましい。
擬似位相制御型の波長変換素子は、他のタイプの波長変換素子よりも変換効率が高いた
め、本発明の効果をより高めることが可能である。
【００１９】
本発明に係る画像表示装置は、上述したようなレーザ光源装置と、前記レーザ光源装置
から射出されたレーザ光を画像情報に応じて変調する光変調素子とを備えたことを特徴と
する。
かかる画像表示装置は、上述したようなレーザ光源装置を用いているため、光の利用効
率を向上させることが可能である。
【発明を実施するための最良の形態】
【００２０】
以下、本発明における実施形態を図面に基づいて説明する。
【００２１】
［第一実施形態］
図１は、第一実施形態に係わるレーザ光源装置の概略構成を示す模式図である。
レーザ光源装置３１は、光源３１１、波長変換素子３１２、外部共振器３１３を備えて
いる。
【００２２】
光源３１１は、第一の波長のレーザ光（以後、光と表す場合がある）を射出する。光源
３１１は、後述する波長変換素子３１２の中心軸に直交する面Ｓに対して、その内部に設
けられたミラー層の面がθａだけ傾斜するように配置されている。
【００２３】
図２は光源３１１の構造を模式的に示す断面図である。図２に示した光源３１１は、い
わゆる面発光半導体レーザであり、例えば半導体ウエハより少なくともなる基板４００と
、基板４００上に形成され、反射ミラーとしての機能を有するミラー層３１１Ａと、ミラ
ー層３１１Ａの表面に積層されるレーザ媒体３１１Ｂとを有する。
【００２４】
ミラー層３１１Ａは、基板４００上に、例えばＣＶＤ（Chemical Vapor Deposition）
により形成された高屈折率の誘電体と低屈折率の誘電体の積層体によって構成されている
。ミラー層３１１Ａを構成する各層の厚さ、各層の材料、層の数は、光源３１１から射出
される光の波長（第一の波長）に対して最適化され、反射光が干渉し強め合う条件に設定
されている。
【００２５】
レーザ媒体３１１Ｂは、ミラー層３１１Ａの面上に形成されている。このレーザ媒体３
１１Ｂは、図示しない電通手段が接続されており、電通手段から所定量の電流が流される
と、所定波長の光を射出する。また、レーザ媒体３１１Ｂは、ミラー層３１１Ａと、図１
に示した外部共振器３１３との間で、第一の波長の光が共振することにより、特定の波長
（第一の波長）の光を増幅させる。すなわち、ミラー層３１１Ａや、後述する外部共振器
３１３により反射された光は、レーザ媒体３１１Ｂにより新たに射出される光と共振して
増幅され、レーザ媒体３１１Ｂの光射出端面からミラー層３１１Ａや基板４００に略直交
する方向に射出される。
【００２６】
波長変換素子３１２は、入射した光の波長をほぼ半分の波長（第二の波長）の光に変換
する。波長変換素子３１２は、図１に示すように、光源３１１と外部共振器３１３との間
に形成された第一光路Ｏ１上に設けられている。
波長変換素子３１２は、波長変換部３１２Ａと、選択反射膜３１２Ｂと、反射防止（Ａ
Ｒ：anti-reflective）膜３１２Ｃを備えている。
【００２７】
波長変換部３１２Ａは、例えば幅がＷ１の四角柱形状をなしている。波長変換部３１２
Ａの光源３１１側の面（入射側端面）は、四角柱形状の中心軸に直交する面Ｓに対して、
αａの角度傾斜した第一の傾斜面としての面３１２Ａａを有している。この面３１２Ａａ
は、光源３１１から射出される第一の波長のレーザ光の入射面でもある。一方、外部共振
器３１３側の面（射出側端面）は、面Ｓと平行な面３１２Ａｂと、面Ｓに対してβａの角
度傾斜した第二の傾斜面としての面３１２Ａｃとの二面よりなる。面３１２Ａｂの面Ｓ方
向における幅は、幅Ｗ１の半分程度である。
また、面３１２Ａａには選択反射膜３１２Ｂが形成され、面３１２Ａｂおよび面３１２
Ａｃには、反射防止膜３１２Ｃが形成されている。
【００２８】
図３は波長変換素子３１２の構造を模式的に示す断面図である。
波長変換部３１２Ａは、入射した光の第二高調波を生成する第二次高調波発生（ＳＨＧ
：Second Harmonic Generation）素子である。波長変換部３１２Ａは、周期的な分極反転
構造を備えており、擬似位相整合（ＱＰＭ：Quasi Phase Matching）による波長変換によ
って、入射した光の波長をほぼ半分の波長（第二の波長）の光に変換する。例えば、光源
３１１から射出される光の波長（第一の波長）が１０６４ｎｍ（近赤外）である場合、波
長変換部３１２Ａは、これを半分の波長（第二の波長）５３２ｎｍに変換して、緑色の光
を生成する。ただし、背景技術でも述べたように、波長変換部３１２Ａの波長変換効率は
、一般的に３０〜４０％程度である。つまり、光源３１１から射出された光のすべてが、
第二の波長の光に変換されるわけではない。
【００２９】
周期的な分極反転構造は、例えばニオブ酸リチウム（ＬＮ：ＬｉＮｂＯ3）やタンタル
酸リチウム（ＬＴ：ＬｉＴａＯ3）などの無機非線形光学材料の結晶基板内部に形成され
ている。具体的には、周期的な分極反転構造は、このような結晶基板内部に、光源３１１
から射出された光に対して略直交する方向に、相互に分極方向が反転した２つの領域３１
２ＡＡ，３１２ＡＢを、所定の間隔で交互に多数形成した構成となっている。これら２つ
の領域３１２ＡＡ，３１２ＡＢのピッチは、入射光の波長と結晶基板の屈折率分散とを考
慮して、適宜決定される。
【００３０】
なお、一般に半導体レーザから発振されるレーザ光は、利得帯域の中で複数の縦モード
が発振し、温度の変動などの影響によりそれらの波長が変化する。すなわち、波長変換素
子３１２において変換される光の波長の許容幅は０．３ｎｍ程度であり、使用環境温度の
変化に対して、０．１ｎｍ／℃程度変動する。
【００３１】
選択反射膜３１２Ｂは、例えば誘電体多層膜によって構成される。このような誘電体多
層膜は、例えばＣＶＤによって形成することが可能であり、多層膜を構成する各層の厚さ
、各層の材料、層の数は、求められる特性に応じて最適化される。選択反射膜３１２Ｂは
、第二の波長の光を選択的に反射し、第一の波長の光を透過させる特性を有する。選択反
射膜３１２Ｂの、第一の波長の光に対する透過率、及び第二の波長の光に対する反射率は
、高ければ高いほど良いが、８０％以上あれば十分である。
【００３２】
ＡＲ膜３１２Ｃは、例えば単層または多層より少なくともなる誘電体膜であり、第一の
波長の光および第二の波長の光の双方を例えば９８％以上の透過率で透過させる。なお、
これらのＡＲ膜３１２Ｃは、波長変換素子３１２の機能を達成する上で必須の構成ではな
いため、省略することも可能である。つまり、波長変換素子３１２を、波長変換部３１２
Ａと選択反射膜３１２Ｂのみで構成することも可能である。
【００３３】
外部共振器３１３は、第一の波長の光を選択的に反射して光源３１１の方に向かわせ、
それ以外の波長（第二の波長を含む）の光を透過する機能を有する。外部共振器３１３は
、第一の波長の光を選択的に反射することで、増幅する光の波長を狭帯域化する機能も担
っている。外部共振器３１３は、図１に示すように、第一光路Ｏ１上に、第一光路Ｏ１に
対して略直交するように設けられている。また、その入射側端面は、波長変換素子３１２
の射出側端面に対向している。
【００３４】
図４は外部共振器３１３の構造を模式的に示す断面図である。外部共振器３１３は、波
長変換素子３１２と同様、四角柱形状をなしている。そして、ブラッグ格子構造が内部に
形成された体積型位相格子としてのブラッグ格子部３１３Ａと、その波長変換素子３１２
側の面（入射側端面）に形成された反射防止（ＡＲ）膜３１３Ｂとを備えている。
ブラッグ格子部３１３Ａは、第一光路Ｏ１に沿って設けられた多数の層によって構成さ
れている。
【００３５】
ブラッグ格子部３１３Ａは、ＳｉＯ2を主体とした例えばアルカリボロアルミノシリケ
ートガラスなどのガラス層に所定波長の紫外線を照射し、ガラス層中に屈折率の異なる干
渉パターンを層状に形成したものである。このブラッグ格子部３１３Ａによって、上述し
た外部共振器３１３の機能がもたらされる。
【００３６】
ＡＲ膜３１３Ｂは、単層または多層より少なくともなる誘電体膜であり、第一の波長の
光および第二の波長の光の双方を例えば９８％以上の透過率で透過させる。ＡＲ膜３１３
Ｂは、ブラッグ格子部３１３Ａの入射側端面だけでなく、射出側端面にも形成することが
可能である。
なお、ＡＲ膜３１３Ｂは、外部共振器３１３の機能を達成する上で必須の構成ではない
ため、省略することも可能である。つまり、外部共振器３１３を、ブラッグ格子部３１３
Ａのみで構成することも可能である。
【００３７】
次に、レーザ光源装置３１から出力光が得られるまでの過程について、図１〜図４を参
照して説明する。
【００３８】
光源３１１は、レーザ媒体３１１Ｂに電流が流されると、第一の波長の光を射出する。
光源３１１から射出された第一の波長の光は、波長変換素子３１２の面３１２Ａａの法線
に対して入射角δａで波長変換素子３１２に入射する。
波長変換素子３１２に入射した第一の波長の光は、選択反射膜３１２Ｂを透過し、空気
と無機非線形光学材料との屈折率差により、四角柱形状の中心軸に沿う方向に屈折して波
長変換部３１２Ａに入射し、第一の波長の光のうちの一部の光の波長が、半分の波長（第
二の波長）に変換され、面３１２Ａｂから外部共振器３１３に向かって射出する。
【００３９】
そして、外部共振器３１３では、光源３１１から射出された光のうち、第二の波長に変
換された光は、外部共振器３１３を透過して、第一のレーザ光ＬＳ１として外部共振器３
１３から射出される。
一方、光源３１１から射出された光のうち、第二の波長に変換されなかった光（第一の
波長の光）は、外部共振器３１３によって反射され、光源３１１の方に向かう。
【００４０】
外部共振器３１３によって反射された第一の波長の光は、光源３１１の方へ向かう過程
で再び波長変換素子３１２に入射する。波長変換素子３１２に入射した第一の波長の光は
、そのうちの一部の光が第二の波長に変換されて、選択反射膜３１２Ｂに入射する。選択
反射膜３１２Ｂに入射した光のうち、第一の波長の光は、選択反射膜３１２Ｂを透過する
。
【００４１】
そして、選択反射膜３１２Ｂを透過した第一の波長の光は、光源３１１に向けて射出さ
れる。
さらに、この光は光源３１１に戻り、ミラー層３１１Ａによって反射され、再び光源３
１１から射出される。このように、第一の波長の光は、光源３１１と外部共振器３１３と
の間に形成された第一光路Ｏ１を往復することにより、レーザ媒体３１１Ｂにて新たに発
振される光と共振して増幅される。すなわち、レーザ光源装置３１は、光源３１１のミラ
ー層３１１Ａと外部共振器３１３との間に形成された共振構造を備えている。
【００４２】
一方、外部共振器３１３によって反射されて光源３１１の方へ向かう過程で、波長変換
素子３１２の波長変換部３１２Ａで第二の波長に変換された光は、面３１２Ａａに形成さ
れた選択反射膜３１２Ｂによって反射される。反射光は、面３１２Ａａに入射した入射角
と同じ角度で反射し、面３１２Ａｃに入射する。そして、無機非線形光学材料と空気との
屈折率差により、四角柱形状の中心軸に沿う方向に屈折して、第一のレーザ光ＬＳ１の進
行方向とほぼ平行な方向に、第二のレーザ光ＬＳ２として外部共振器３１３から射出され
る。
すなわち、波長変換素子３１２の入射側端面の面３１２Ａａおよび射出側端面の面３１
２Ａｃは、外部共振器３１３によって反射されて光源３１１の方へ向かう過程で第二の波
長に変換された光を、第一光路Ｏ１とは異なる第二光路Ｏ２へ取り出す機能を備えている
。
【００４３】
なお、角度θａ、αａ、βａ、δａは、例えば波長変換部３１２Ａの周期的な分極反転
構造を形成する無機非線形光学材料としてＬｉＮｂＯ3を用い、波長変換素子３１２の中
心軸方向の長さを５ｍｍ程度とした場合に、ＬｉＮｂＯ3の屈折率をｎ＝２．３、空気の
屈折率をｎ＝１として、概略、θａ＝２．８７°、αａ＝２°、βａ＝０．１６°、δａ
＝０．８７°程度に設定することが可能である。これらの角度は、波長変換素子３１２の
屈折率や、中心軸方向の長さに応じて、適宜変更可能である。
【００４４】
また、図１において、Ｌ１は、光源３１１から射出され、波長変換素子３１２によって
第二の波長の光に変換され、第一のレーザ光ＬＳ１として外部共振器３１３から射出され
る光を示している。第一光路Ｏ１は、光源３１１から射出され、波長変換素子３１２によ
って第二の波長に変換されること無く射出され、外部共振器３１３によって反射され光源
３１１に向かう過程においても波長変換素子３１２によって第二の波長に変換されず、選
択反射膜３１２Ｂを透過して光源３１１に戻る光を示しており、このような光によって第
一光路Ｏ１が形成されると考えることができる。
【００４５】
さらに、Ｌ２は、光源３１１から射出され、波長変換素子３１２によって第二の波長に
変換されること無く射出され、外部共振器３１３によって反射され光源３１１に向かう過
程において、波長変換素子３１２によって第二の波長に変換されて、選択反射膜３１２Ｂ
へ入射する光を示している。さらにまた、Ｌ３は、選択反射膜３１２Ｂによって反射され
た第二の波長の光を第二のレーザ光ＬＳ２として外部共振器３１３から射出される光を示
している。図１では、Ｌ１、Ｏ１、Ｌ２を異なる位置に示しているが、これらは説明の便
宜上、異なる位置に示されているだけであり、本来は同じ位置に存在する。
【００４６】
本実施形態に係るレーザ光源装置３１は、以下の効果を奏する。
（１）光源３１１と外部共振器３１３とによって構成された共振構造（第一光路Ｏ１）
の内部に波長変換素子３１２を設け、外部共振器３１３によって反射されて光源３１１へ
向かう過程で、波長が変換された第二のレーザ光ＬＳ２を、第一光路Ｏ１とは異なる第二
光路Ｏ２に向かわせるように傾斜する第一の傾斜面３１２Ａａ、および第一のレーザ光Ｌ
Ｓ１の進行方向とほぼ同じ方向へ向けるように傾斜する第二の傾斜面３１２Ａｃによって
、第二光路Ｏ２に取り出すことにより、波長が変換された第二のレーザ光ＬＳ２を無駄な
く利用し、出力光のパワー低下を防ぐことが可能である。
また、第二のレーザ光ＬＳ２を第二光路Ｏ２に取り出す第一の傾斜面３１２Ａａおよび
第二の傾斜面３１２Ａｃが、波長変換素子３１２に設けられていることにより、構成部品
点数が低減し、低コスト化および小型化したレーザ光源装置３１が得られるとともに、光
路の長さが長くなったり、光学要素を通過する回数が増えてしまったり、相互干渉するこ
とによるレーザ光の損失を低減することも可能である。
すなわち、本実施形態によれば、出力光のパワー低下を効率よく抑えて、光利用効率が
高く、出力が安定したレーザ光源装置３１を得ることが可能となる。
【００４７】
（２）第二のレーザ光ＬＳ２を第二光路Ｏ２に取り出す第一の傾斜面３１２Ａａおよび
第二の傾斜面３１２Ａｃが、予め波長変換素子３１２に設けられていることにより、第一
の傾斜面３１２Ａａと第二の傾斜面と３１２Ａｃの位置合わせが不要であり、かつ、第一
の傾斜面３１２Ａａと第二の傾斜面３１２Ａｃとの位置がずれることもないので、安定し
た出力光のパワーを得ることも可能である。
【００４８】
（３）波長変換素子３１２の外部共振器３１３側の面に、第二の傾斜面３１２Ａｃが形
成されていることにより、選択反射膜３１２Ｂ（第一の傾斜面３１２Ａａ）において反射
された第二の波長のレーザ光を、第一の波長のレーザ光の進行方向とほぼ同じ方向に向け
て、容易に取り出すことができる。よって、波長が変換された第二のレーザ光ＬＳ２の相
互干渉を防ぐとともに、無駄なく利用し、出力光のパワー低下を防ぐことができる。
（４）波長変換素子３１２が、擬似位相制御型の波長変換素子であり、他のタイプの波
長変換素子よりも変換効率が高いため、（１）の効果をより高めることが可能である。
【００４９】
［第二実施形態］
図５は、第二実施形態に係わるレーザ光源装置の概略構成を示す模式図である。
第二実施形態のレーザ光源装置４１は、波長変換素子３１２の入射側端面および射出側
端面の形状だけが第一実施形態のレーザ光源装置３１と異なっており、それ以外は、前記
第一実施形態と同様である。したがって、第一実施形態と同一部材には同一符号を付して
、その説明は省略または簡略化する。また、レーザ光源装置４１から出力光が得られるま
での過程についても同様であり、その詳細な説明も省略または簡略化する。
【００５０】
図５に示すレーザ光源装置４１において、波長変換素子３１４は、光源３１１と外部共
振器３１３との間に形成された第一光路Ｏ１上に設けられている。
波長変換素子３１４は、波長変換部３１４Ａと、選択反射膜３１４Ｂと、反射防止（Ａ
Ｒ：anti-reflective）膜３１４Ｃとを備えている。
【００５１】
波長変換部３１４Ａは、例えば幅がＷ１の四角柱形状をなしている。波長変換部３１４
Ａの光源３１１側の面（入射側端面）は、四角柱形状の中心軸に直交する面Ｓに対して、
αｂの角度傾斜した第一の傾斜面としての面３１４Ａａと、面Ｓに対してγｂの角度傾斜
した第二の傾斜面としての面３１４Ａｃとの二面よりなる。なお、面３１４Ａａは、光源
３１１から射出される第一の波長のレーザ光の入射面でもあり、面３１４Ａａの面Ｓ方向
における幅は、幅Ｗ１の半分程度である。また、面３１４Ａｃは入射光に対して全反射条
件を満足する角度γｂに配置された平滑面である。
【００５２】
一方、外部共振器３１３側の面（射出側端面）は、面Ｓと平行な面３１４Ａｂよりなる
。この面３１４Ａａには、選択反射膜３１４Ｂが形成され、面３１４Ａｂには、反射防止
膜３１４Ｃが形成されている。なお、面３１４Ａｃには、反射防止（ＡＲ）膜を形成して
もよい。この面３１４ＡｃにＡＲ膜を形成することにより、この面３１４Ａｃを介して、
波長変換素子３１４に光が入射したり、波長変換素子３１４から光が射出されたりする際
の光の損失を低減することが可能となる。
【００５３】
次に、レーザ光源装置４１から出力光が得られるまでの過程について、図５を参照して
説明する。
【００５４】
光源３１１は、レーザ媒体３１１Ｂ（図２参照）に電流が流されると、第一の波長の光
を射出する。光源３１１から射出された第一の波長の光は、波長変換素子３１４の面３１
４Ａａの法線に対して入射角δｂで、面３１４Ａａから波長変換素子３１４に入射する。
波長変換素子３１４に入射した第一の波長の光は、選択反射膜３１４Ｂを透過し、空気
と無機非線形光学材料との屈折率差により、四角柱形状の中心軸に沿う方向に屈折して波
長変換部３１４Ａに入射し、第一の発振波長の光のうち一部の光の波長が、半分の波長（
第二の波長）に変換され、面３１４Ａｂから外部共振器３１３に向かって射出する。
【００５５】
そして、外部共振器３１３では、光源３１１から射出された光のうち、第二の波長に変
換された光は、外部共振器３１３を透過して、第一のレーザ光ＬＳ１として外部共振器３
１３から射出される。
一方、光源３１１から射出された光のうち、第二の波長に変換されなかった光（第一の
波長の光）は、外部共振器３１３によって反射され、光源３１１の方に向かう。
【００５６】
外部共振器３１３によって反射された第一の波長の光は、光源３１１の方へ向かう過程
で再び波長変換素子３１４に入射する。波長変換素子３１４に入射した第一の波長の光は
、波長変換部３１４Ａを通過する過程で、そのうちの一部の光が第二の波長に変換されて
、選択反射膜３１４Ｂに入射する。選択反射膜３１４Ｂに入射した光のうち、第一の波長
の光は、選択反射膜３１４Ｂを透過する。
【００５７】
そして、選択反射膜３１４Ｂを透過した第一の波長の光は、光源３１１に向けて射出さ
れる。
さらに、この光は光源３１１に戻り、ミラー層３１１Ａ（図２参照）によって反射され
、再び光源３１１から射出される。このように、第一の波長の光は、光源３１１と外部共
振器３１３との間に形成された第一光路Ｏ１を往復することにより、レーザ媒体３１１Ｂ
にて新たに発振される光と共振して増幅される。すなわち、レーザ光源装置４１は、光源
３１１のミラー層３１１Ａと外部共振器３１３との間に形成された共振構造を備えている
。
【００５８】
一方、外部共振器３１３によって反射されて光源３１１の方へ向かう過程で、波長変換
素子３１４の波長変換部３１４Ａで第二の波長に変換された光は、面３１４Ａａに形成さ
れた選択反射膜３１４Ｂによって反射される。反射光Ｌ３は、面３１４Ａａに入射した入
射角と同じ角度で反射し、面３１２Ａｃに向かう。そして、面３１２Ａｃでは、同様に入
射した入射角と同じ角度で反射された反射光Ｌ４が、面３１４Ａｂに対して略直角に入射
し、第一のレーザ光ＬＳ１の進行方向とほぼ平行な方向に進行して、第二のレーザ光ＬＳ
２として外部共振器３１３から射出される。
すなわち、波長変換素子３１４は、外部共振器３１３によって反射されて光源３１１の
方へ向かう過程で第二の波長に変換されたレーザ光を、第一光路Ｏ１とは異なる第二光路
Ｏ２へ取り出す機能を兼ね備えている。
【００５９】
なお、角度θｂ、αｂ、γｂは、例えば波長変換部３１４Ａの周期的な分極反転構造を
形成する無機非線形光学材料としてＬｉＮｂＯ3を用い、波長変換素子３１４の中心軸方
向の長さを５ｍｍ程度とした場合に、ＬｉＮｂＯ3の屈折率をｎ＝２．３、空気の屈折率
をｎ＝１として、θｂ＝８．５５°、αｂ＝２０°、γｂ＝７０°に設定することが可能
である。これらの角度は、波長変換素子３１４の屈折率や、中心軸方向の長さに応じて、
適宜変更可能である。
【００６０】
また、図５において、Ｌ１は、光源３１１から射出され、波長変換素子３１４によって
第二の波長の光に変換され、第一のレーザ光ＬＳ１として外部共振器３１３から射出され
る光を示している。第一光路Ｏ１は、光源３１１から射出され、波長変換素子３１４によ
って第二の波長に変換されること無く射出され、外部共振器３１３によって反射され光源
３１１に向かう過程においても波長変換素子３１４によって第二の波長に変換されず、選
択反射膜３１４Ｂを透過して光源３１１に戻る光を示しており、このような光によって第
一光路Ｏ１が形成されると考えることができる。
【００６１】
さらに、Ｌ２は、光源３１１から射出され、波長変換素子３１４によって第二の波長に
変換されること無く射出され、外部共振器３１３によって反射され光源３１１に向かう過
程において、波長変換素子３１４によって第二の波長に変換されて、選択反射膜３１４Ｂ
へ入射する光を示している。図５では、Ｌ１、Ｏ１、Ｌ２を異なる位置に示しているが、
これらは説明の便宜上、異なる位置に示されているだけであり、本来は同じ位置に存在す
る。
【００６２】
このように、第一の波長の光は、光源３１１と外部共振器３１３との間に形成された第
一光路Ｏ１を往復することにより、光源内部のレーザ媒体にて新たに発振される光と共振
して増幅される。すなわち、レーザ光源装置４１は、光源３１１の内部に設けられたミラ
ー層と外部共振器３１３との間に形成された共振構造を備えている。
【００６３】
第二実施形態のレーザ光源装置４１によれば、第一実施形態と同様の効果を奏すること
ができる。
【００６４】
［実施形態の変形例］
本発明は前述の第一実施形態および第二実施形態に限定されるものではなく、本発明の
目的を達成できる範囲での変形、改良等は本発明に含まれるものである。以下に変形例と
して挙げられているような形態であっても、前述の実施形態と同様な効果を得ることがで
きる。
【００６５】
光源３１１としては、面発光型半導体レーザ以外に、いわゆる端面発光型半導体レーザ
または半導体励起固体レーザを用いることができる。なお、端面発光型半導体レーザを用
いる場合には、光源３１１と波長変換素子３１２，３１４との間に、光源３１１から射出
された光を平行化するためのレンズを設けることが好ましい。
【００６６】
また、光源３１１は、アレイ化された複数の発光部を備えたものとすることができる。
図６（Ａ）及び図６（Ｂ）は、いずれも発光部がアレイ化された光源を示す模式図である
。図６（Ａ）の光源３２１では、複数の発光部３２２が一列に並んでいる。また、図６（
Ｂ）の光源３２３では、複数の発光部３２２が２列に並んでいる。なお、発光部の数や、
列の数は、図６（Ａ）や（Ｂ）に示したものには限らない。上述したレーザ光源装置３１
，４１では、このように発光部がアレイ化された光源を用いたとしても、波長変換素子３
１２，３１４や外部共振器３１３の光入射面及び光射出面の面積を、アレイに対応した面
積に拡張すれば良いだけである。
【００６７】
このように、上述したレーザ光源装置３１，４１では、光源がアレイ化されたとしても
、装置の過度な大型化を招くことが無く、簡単な構成で対応することが可能である。よっ
て、上述したレーザ光源装置３１，４１では、光源がアレイ化されたとしても、出力光の
パワー低下を効率よく抑えて、光利用効率が高く、出力が安定したレーザ光源装置を得る
ことが可能となる効果をそのまま保持しつつ、アレイ化による光量の増加を、効果的に出
力光のパワーアップに繋げることが可能である。
【００６８】
波長変換素子３１２，３１４を構成する非線形光学材料としては、先にＬＮ（ＬｉＮｂ
Ｏ3）や、ＬＴ（ＬｉＴａＯ3）を例示したが、これ以外にもＫＮｂＯ3、ＢＮＮ（Ｂａ2Ｎ
ａＮｂ5Ｏ15）、ＫＴＰ（ＫＴｉＯＰＯ4）、ＫＴＡ（ＫＴｉＯＡｓＯ4）、ＢＢＯ（β―
ＢａＢ2Ｏ4）、ＬＢＯ（ＬｉＢ3Ｏ7）などの無機非線形光学材料を利用してもよい。また
、メタニトロアニリン、２−メチル−４−ニトロアニリン、カルコン、ジシアノビニルア
ニソール、３，５−ジメチル−１−（４−ニトロフェニル）ピラゾール、Ｎ−メトキシメ
チル−４−ニトロアニリンなどの低分子有機材料や、ポールドポリマなどの有機非線形光
学材料を用いてもよい。
【００６９】
波長変換素子３１２，３１４として、上述したＳＨＧ素子に変えて、第三次高調波発生
素子を用いても良い。
【００７０】
外部共振器３１３としては、先に説明した体積型位相格子以外に、結晶型の体積ホログ
ラム、フォトポリマ体積ホログラム、ブレーズド型回折格子（溝の断面形状が鋸歯状であ
る回折格子）などを用いても良い。
【００７１】
［レーザ光源装置の応用例］
以上に述べたようなレーザ光源装置３１，４１を画像表示装置等に応用することにより
、これらの装置における光の利用効率を向上させることが可能である。以下画像表示装置
への応用例について説明する。
【００７２】
第一の実施形態に係るレーザ光源装置３１を応用した画像表示装置の一例として、プロ
ジェクタ３の構成について説明する。図７は、プロジェクタ３の光学系の概略を示す模式
図である。
【００７３】
図７において、プロジェクタ３は、レーザ光源装置３１、光変調装置としての液晶パネ
ル３２、偏光板３３１及び３３２、クロスダイクロイックプリズム３４、投射レンズ３５
などを備えている。なお、液晶パネル３２と、その光入射側に設けられた入射側偏光板３
３１及び光射出側に設けられた射出側偏光板３３２によって液晶ライトバルブ３３が構成
される。
【００７４】
レーザ光源装置３１は、赤色レーザ光を射出する赤色光用光源装置３１Ｒと、青色レー
ザ光を射出する青色光用光源装置３１Ｂと、緑色レーザ光を射出する緑色光用光源装置３
１Ｇを備えている。これらのレーザ光源装置３１（３１Ｒ，３１Ｇ，３１Ｂ）は、それぞ
れクロスダイクロイックプリズム３４の側面三方にそれぞれ対向するように配置されてい
る。図７では、クロスダイクロイックプリズム３４を挟んで、赤色光用光源装置３１Ｒと
青色光用光源装置３１Ｂとが互いに対向し、投射レンズ３５と緑色光用光源装置３１Ｇが
互いに対向しているが、これらの位置は、適宜入れ替えることが可能である。
【００７５】
液晶パネル３２は、例えば、ポリシリコンＴＦＴ（Thin Film Transistor）をスイッチ
ング素子として用いたものである。各レーザ光源装置３１から射出された色光は、入射側
偏光板３３１を介して液晶パネル３２に入射する。液晶パネル３２に入射した光は、画像
情報に応じて変調されて、液晶パネル３２から射出される。液晶パネル３２によって変調
された光のうち、特定の直線偏光だけが、射出側偏光板３３２を透過して、クロスダイク
ロイックプリズム３４に向かう。
【００７６】
なお、レーザ光源装置３１から射出される光は、偏光方向が良く揃った光であるため、
原理上は、入射側偏光板３３１を省略することも可能である。しかしながら、実際は、レ
ーザ光源装置３１から射出された光をそのまま照明光として利用する場合は少なく、レー
ザ光源装置３１から射出された光を照明光に適した光に加工するための光学要素（例えば
、回折格子、レンズ、ロッドインテグレータ等）が、レーザ光源装置３１と液晶パネル３
２との間に設けられることが多い。そして、このような光学要素を通過することにより、
偏光に多少の乱れが生じる可能性もある。偏光が乱れた光を液晶パネル３２にそのまま入
射させると、投射画像のコントラストが低下したり、投射画像に色むらが生じたりする可
能性もある。そこで、液晶パネル３２の入射側に偏光板３３１を設けて、液晶パネル３２
に入射する偏光の方向を揃えるようにすれば、投射画像のコントラストの低下や、色むら
の発生を低減することができ、より質の高い画像を得ることが可能となる。
【００７７】
クロスダイクロイックプリズム３４は、各液晶パネル３２によって変調された各色光を
合成して、カラー画像を形成する光学素子である。このクロスダイクロイックプリズム３
４は、４つの直角プリズムを貼り合わせた平面視略正方形状をなしている。そして、これ
ら４つの直角プリズムの界面には、２種類の誘電体多層膜がＸ字状に設けられている。こ
れら誘電体多層膜は、互いに対向する各液晶パネル３２から射出された各色光を反射し、
投射レンズ３５に対向する液晶パネル３２から射出された色光を透過する。このようにし
て、各液晶パネル３２にて変調された各色光が合成されて、カラー画像が形成される。
投射レンズ３５は、複数のレンズが組み合わされた組レンズとして構成される。この投
射レンズ３５は、カラー画像を拡大投射する。
【００７８】
以上のように構成されたプロジェクタ３は、レーザ光源装置３１を用いているため、光
の利用効率を向上したプロジェクタを得ることができる。
【００７９】
なお、この応用例では、第一実施形態に係るレーザ光源装置３１（３１Ｒ，３１Ｇ，３
１Ｂ）を用いているが、これらのうち一部もしくは全部を、第二実施形態に係るレーザ光
源装置４１に置き換えても良い。
さらに、レーザ光源装置３１Ｒ，３１Ｇ，３１Ｂのうち、一部を、基本波レーザの波長
をそのまま利用するレーザ光源装置に置き換えても良い。
【００８０】
この応用例では、光変調素子を３つ用いたプロジェクタの例について説明したが、第一
実施形態および第二実施形態のレーザ光源装置３１，４１は、光変調装置を１つ、２つ、
あるいは４つ以上用いたプロジェクタにも適用することができる。
また、この応用例では、透過型のプロジェクタについて説明したが、第一実施形態およ
び第二実施形態のレーザ光源装置３１，４１は、反射型プロジェクタにも適用することが
可能である。ここで、「透過型」とは、光変調素子が光を透過するタイプであることを意
味しており、「反射型」とは、光変調素子が光を反射するタイプであることを意味してい
る。
【００８１】
また、光変調素子は液晶パネル３２に限られず、例えばマイクロミラーを用いたデバイ
スであっても良い。
さらに、プロジェクタとしては、投射面を観察する方向から画像投射を行うフロントタ
イプと、投射面を観察する方向とは反対側から画像投射を行うリアタイプとがあるが、第
一実施形態および第二実施形態のレーザ光源装置３１，４１は、いずれのタイプにも適用
可能である。
【００８２】
さらにまた、この応用例では、レーザ光源装置３１を応用した画像表示装置の一例とし
て、画像を拡大投射する投射レンズ３５を備えたプロジェクタ３を紹介しているが、第一
実施形態および第二実施形態のレーザ光源装置３１，４１は、投射レンズ３５を用いない
画像表示装置等にも応用可能である。
【図面の簡単な説明】
【００８３】
【図１】第一実施形態に係わるレーザ光源装置の概略構成を示す模式図。
【図２】光源の構造を模式的に示す断面図。
【図３】波長変換素子の構造を模式的に示す断面図。
【図４】外部共振器の構造を模式的に示す断面図。
【図５】第二実施形態に係わるレーザ光源装置の概略構成を示す模式図。
【図６】発光部がアレイ化された光源を示す模式図。
【図７】プロジェクタの光学系の概略を示す模式図。
【符号の説明】
【００８４】
３１，４１…レーザ光源装置、３１Ｂ…青色光用光源装置、３１Ｇ…緑色光用光源装置
、３１Ｒ…赤色光用光源装置、３２…液晶パネル、３３…偏光板、３４…クロスダイクロ
イックプリズム、３５…投射レンズ、３１１…光源、３１１Ａ…ミラー層、３１１Ｂ…レ
ーザ媒体、４００…基板、３１２，３１４…波長変換素子、３１２Ａ，３１４Ａ…波長変
換部、３１２Ｂ，３１４Ｂ…選択反射膜、３１３…外部共振器、Ｏ１…第一光路、Ｏ２…
第二光路、ＬＳ１…第一のレーザ光、ＬＳ２…第二のレーザ光。
【図１】
2008103525.tif 000003
【図２】
2008103525.tif 000004
【図３】
2008103525.tif 000005
【図４】
2008103525.tif 000006
【図５】
2008103525.tif 000007
【図６】
2008103525.tif 000008
【図７】
2008103525.tif 000009